(57)【要約】【課題】本発明の目的は、硬貨とスマートカードの決済機能を使用できるスマートカード課金機能を備える硬貨選別装置を提供することである。を目的とする。【解決手段】ほぼ直立するベースプレートの上部に硬貨口を設け、前記硬貨口の下方に硬貨返却口を配置した硬貨選別装置において、前記ベースプレートの上部に対応して上向き傾斜面を形成し、前記上向き傾斜面に硬貨投入口を配置すると共に前記硬貨投入口の周りの前記上向き傾斜面の下位に通信用のアンテナを配置し、かつ、前記上向き斜面にアンテナ標示をしたことを特徴とするスマートカード課金機能を備える硬貨選別装置である。【選択図】図１
2005025404.tif 000002
【特許請求の範囲】
【請求項１】
ほぼ直立するベースプレート（１０、５０）の上部に硬貨口（１１）を設け、前記硬貨口（１１）の下方に硬貨返却口（１２）を配置した硬貨選別装置において、前記ベースプレート（１０）の上部に対応して上向き傾斜面（４２）を形成し、前記上向き傾斜面（４２）に硬貨投入口（４３）を配置すると共に前記硬貨投入口（４３）の周りの前記上向き傾斜面（４２）の下位に通信用のアンテナ（３１）を配置し、かつ、前記上向き傾斜面（４２）にアンテナ標示（４６）をしたことを特徴とするスマートカード課金機能を備える硬貨選別装置。
【請求項２】
ほぼ直立するプレート（１６）に取り付けられた機械式選別部を備えた硬貨選別部（１５）、前記プレート（１６）に対し直交するよう取り付けた金属により作られ、上部に硬貨口（１１）を有し、下部に返却口（１２）を有するベースプレート（１０）、前記ベースプレート（１０）に固定した非磁性材料で作られ上向きの傾斜面（２８）を有し、前記硬貨口（１１）に通じる案内路（２７）を形成したアンテナ装着体（２６）、非磁性材料で成型され、前記案内路（２７）に接続される硬貨投入口（４３）と前記返却口（１２）に連なる硬貨返却口（４０）とを形成し、前記ベースプレート（１０）に固定した前面カバー（３８）とを含むスマートカード課金機能を備える硬貨選別装置。
【発明の詳細な説明】
【０００１】
【発明が属する技術分野】
本発明は、課金式装置に装着される、スマートカード課金機能を備えた硬貨選別装置である。
詳しくは、真硬貨の受け入れ、または、スマートカード（ＩＣカード）に記憶させた有価情報によってその課金式装置の使用を可能にするスマートカード課金機能を備えた硬貨選別装置に関する。
なお、本明細書で使用する「硬貨」は、コイン、ゲーム機用メダル、トークン等の有価円板体の総称である。
課金式装置は、ゲーム機、自動販売機、自動写真撮影機等、価値媒体を受け入れて所定のサービスを提供する自動装置の総称である。
有価情報は、金額情報の他、金額情報に変換できるポイント等の総称である。
【０００２】
【従来の技術】
従来の硬貨選別装置は、硬貨投入口と、硬貨投入口に続いて形成された硬貨転動経路に沿って配置された機械的に真偽を選別する硬貨選別部と、正貨信号を課金式装置に出力する出力部を有している（例えば、特許文献１参照。）。
【０００３】
近年情報機器の発達に伴い、ＩＣをカードに埋設したスマートカードに有価情報を記憶させて金融決済を行うことが普及しつつある。
すなわち、硬貨とスマートカードによる決済とが併存している。
そのため、課金式装置においても、硬貨とスマートカードの何れによっても使用できるようにすることが要望されている。
この要望に応えるため、第１の従来技術として、硬貨選別装置と接触式スマートカードのリードライト装置を装着した課金式装置が提案されている（特許文献２参照）。
また、第２の従来技術として自動販売機用の紙幣識別装置の紙幣挿入口の下位にスマートカードのリードライタの挿入口を装着することが提案されている（特許文献３参照）。
【０００４】
【特許文献１】
特公昭６３−２９３０８号（図１―５）
【特許文献２】
大韓民国実用新案登録第１７４５１９号（図３）
【特許文献３】
特開２００１−１２６１２１号（図１、２、４、５、頁３―４）
【０００５】
【発明が解決しようとする課題】
第１の従来技術は、スマートカードを硬貨選別装置のスロットに一々挿入せねばならず、操作が煩雑である欠点がある。
また、硬貨選別装置とスマートカードのリードライト装置を個別に課金式装置に組み付けた場合、どちらか一方のみが使えると勘違いされる欠点がある。
さらに、装置が大型化する欠点がある。
【０００６】
第２の従来技術は、紙幣識別装置のように、紙幣以上の長さと幅を有している場合、容易に装着できるが、紙幣の幅よりも小型の硬貨選別装置の場合、装着することができない。
【０００７】
本発明の第１の目的は、硬貨とスマートカードの決済機能を使用できるスマートカード課金機能を備える硬貨選別装置を提供することである。
本発明の第２の目的は、小型の硬貨とスマートカードの決済機能を使用できるスマートカード課金機能を備える硬貨選別装置を提供することである。
本発明の第３の目的は、既に使用されている硬貨選別装置を、スマートカードの決済機能を使用できるよう容易に改造できるスマートカード課金機能を備える硬貨選別装置を提供することである。
【０００８】
【課題を解決するための手段】
この目的を達成するため、本発明の第一の発明は、次のように構成されている。
ほぼ直立するベースプレートの上部に硬貨口を設け、前記硬貨口の下方に硬貨返却口を配置した硬貨選別装置において、前記ベースプレートの上部に対応して上向き傾斜面を形成し、前記上向き傾斜面に硬貨投入口を配置すると共に前記硬貨投入口の周りの前記上向き傾斜面の下位に通信用のアンテナを配置し、かつ、前記上向き斜面にアンテナ標示をしたことを特徴とするスマートカード課金機能を備える硬貨選別装置である。
【０００９】
この構成において、ベースプレートの上部に相対して上向き斜面を形成することにより、スマートカードとの通信用アンテナの設置スペースを確保することができるものである。
そして、硬貨投入口の周りの上向き傾斜面の下位にスマートカードとの通信用アンテナを配置し、かつ、その上向き斜面にアンテナ標示をしたので、硬貨を投入する際に、上向き斜面のアンテナ標示を視認することでスマートカードが使用できることを認識できる。
また、スマートカードを使用する際、その標示の中央部に硬貨投入口を視認することで硬貨が使用できることを認識できる。
さらに、硬貨投入口とアンテナが上向き斜面の同一場所に配置されているので、小型化でき、硬貨の投入が容易であると共にスマートカードのアンテナへの近接が容易である利点を有する。
【００１０】
本発明の第二の発明は、以下のように構成されている。
ほぼ直立するプレートに取り付けられた機械式選別部を備えた硬貨選別部、前記プレートに対し直交するよう取り付けた金属により作られ、上部に硬貨口を有し、下部に返却口を有するベースプレート、前記ベースプレートに固定した非磁性材料で作られ上向きの傾斜面を有し、前記硬貨口に通じる案内路を形成したアンテナ装着体、非磁性材料で成型され、前記案内路に接続される硬貨投入口と前記返却口に連なる硬貨返却口とを形成し、前記ベースプレートに固定した前面カバーとを含むスマートカード課金機能を備える硬貨選別装置である。
【００１１】
この構造において、ほぼ直立するプレートに取り付けられた機械的選別部を備えた硬貨選別部と前記プレートに対し直交するよう取り付けた金属により作られ、上部に硬貨受入口を有し、下部に硬貨返却部を有するベースプレートは、従来採用されていた部品を用いることができる。
ベースプレートに固定した非磁性材料で作られ上向き傾斜面を有し、前記硬貨受入口に通じる案内路を形成したアンテナ装着体と非磁性材料で成型され、前記案内路に接続される硬貨投入口と前記硬貨返却部に連なる硬貨返却口とを形成し、前記ベースプレートに固定した前面カバーは新たに製造する。
【００１２】
これにより、硬貨選別装置の一部は従来の硬貨選別部を使用することができるので、スマートカード課金機能を備える硬貨選別装置を新たに製造するケースであっても安価に製造することができる。
【００１３】
また、既に設置された硬貨選別装置の硬貨選別部をそのまま使用し、新たにベースプレートに固定した非磁性材料で作られ上向き傾斜面を有し、前記硬貨受入口に通じる案内路を形成したアンテナ装着体と非磁性材料で成型され、前記案内路に接続される硬貨投入口と前記硬貨返却部に連なる硬貨返却口とを形成し、前記ベースプレートに固定した前面カバーと組み合わせることにより、スマートカード課金機能を備える硬貨選別装置に改造することができる。
これにより、従来の硬貨選別部を利用して安価にスマートカード課金機能を備える硬貨選別装置に改造することができる。
【００１４】
【発明の実施の形態】
図１は、本発明の第１実施例のスマートカード課金機能を備える硬貨選別装置の斜視図である。
図２は、本発明の第１実施例のスマートカード課金機能を備える硬貨選別装置の分解斜視図である。
図３は、本発明の第１実施例のスマートカード機能を備える硬貨選別装置の硬貨通路の断面図である。
図４は、本発明の第１実施例のスマートカード機能を備える硬貨選別装置の制御ブロック図である。
図５は、本発明の第２実施例のスマートカード機能を備える硬貨選別装置の斜視図である。
【００１５】
まず、硬貨選別装置１を説明する。
ほぼ直立する矩形の金属プレートがベースプレート１０である。
ベースプレート１０の上部に、縦長矩形の硬貨口１１が形成され、下部には硬貨の返却口１２が形成されている。
返却口１２の後側には、保留箱１３が固定され、返却された硬貨がランダムに横たわることができる。
【００１６】
返却口１２は、上部が保留箱１３内にピボット可能に支持された蓋１４によってカバーされている。
しかし、蓋１４を押し込むことにより、返却硬貨を保留箱１３内から取り出すことができる。
ベースプレート１０の後側にベースプレート１０に対し直角に硬貨選別部１５を有する選別プレート１６が固定されている。
【００１７】
硬貨選別部１５は、下向きに傾斜するガイドレール１７と平行に配置したゲージレール１８によって構成され、正貨は、ゲージレール１８によって案内されるが、小径の硬貨は、ゲージレール１８に案内されずに開口１９から落下する機械式選別部である。
硬貨選別部１５によって正貨と判別された硬貨は、正貨通路２１を通って下方の金庫（図示せず）に保留される。
偽貨は、偽貨通路２２を通って保留箱１３に戻される。
【００１８】
硬貨選別部１５は、硬貨の真偽の分別を行う機能を有していれば実施例に限定されない。
例えば、硬貨選別部１５の下流に磁石を配置し、直径及び厚みが同一であって、鉄系材で作られた偽貨を吸着するようにしてもよい。
また、機械式に限定されず、発信コイルを用いて硬貨の材質や直径のデータをサンプリングして真偽を判別する電気的選別部であってもよい。
【００１９】
ベースプレート１０の中間に突出するシャフト２３は、硬貨選別部１５でジャムした硬貨や前記磁石で吸着された偽貨を返却口１２に戻すための操作シャフトである。
正貨通路２１を落下する硬貨は、マイクロスイッチ２４により検知される。
マイクロスイッチ２４の検知信号により、課金式装置が使用可能になる。
前記ベースプレート１０は、後述の前面カバー３８及びアンテナ装着体２６と共に、四角頭スクリュウ２５Ａ、２５Ｂ、２５Ｃ、２５Ｄによって課金式装置のほぼ垂直な前面に固定される。
【００２０】
課金式装置の装着部は、金属であり、かつ、硬貨の金庫に連なる硬貨選別装置１を装着する開口は、金属製のベースプレート１０によってカバーされるので、この部位から破壊されて内部の硬貨を盗まれることを防止できる。
次にアンテナ装着体２６を説明する。
アンテナ装着体２６は、樹脂などの非磁性材料で作られ、全体としてプリズムを横に倒した状態でベースプレート１０にスクリュウ２５Ａ、２５Ｂ、２５Ｅ及び２５Ｆによって各コーナーを固定される。
【００２１】
図３に示すように、アンテナ装着体２６には硬貨口１１に向かって下降する硬貨通路２７が形成され、傾斜面２８には、その入口２９が開口している。
硬貨通路２７は、摩耗を防止するため、断面矩形の金属チューブをアンテナ装着体２６に挿入して構成することが好ましい。
硬貨通路２７の出口は、硬貨口１１に相対している。
傾斜面２８は、ベースプレート１０に対し約３０度傾斜した平面である。
換言すれば、水平線に対し約６０度傾斜している。
【００２２】
傾斜面２８には、スマートカードとの通信用のアンテナ３１と通信回路及びマイクロスイッチ２４への課金信号を送る回路３３がプリントされた平板状のアンテナ基板３２が固定されている。
アンテナ装着体２６の傾斜面２８に連なる下面３４は、ベースプレート１０に対し傾斜し、段差を形成している。
【００２３】
また、アンテナ基板３２には、スピーカ３５が装着されている。
ベースプレート１０には、回路３３とマイクロスイッチ２４を接続するリード線３６の通孔３７が形成されている。
アンテナ装着体２６及びベースプレート１０は、前面カバー３８によってカバーされている。
【００２４】
前面カバー３８は、樹脂等の非磁性材料で形成され、矩形であって、上部が前記アンテナ装着体２６に対応する三角形状に前方に突出された課金部３９と、返却口１２に相対して硬貨返却口４０が形成されている。
課金部３９の上面が上向き傾斜面４２であり、アンテナ装着体２６に倣って傾斜している。
また、その中央に縦長矩形の硬貨投入口４３が形成されている。
硬貨投入口４３は、入口２９に相対している。
【００２５】
前面カバー３８の中間の貫通孔４４から突出する操作シャフト２３に操作レバー４５が固定されている。
この操作レバー４５を図１で時計方向に回すことにより、硬貨選別部１５でジャムした偽貨を返却口１２に戻すことができる。
上向き傾斜面４２にはスマートカードの標示４６が施されている。
この標示４６は、文字、図形やそれらの組み合わせであり、スマートカードを直感的或いは観念的に想起できるものである。
【００２６】
回路３３は、図４に図示するように、アンテナ３１に接続した送受信回路４７と課金回路４８とを含んでいる。
この課金回路４８は、送受信回路４７から受け取ったスマートカードの有価情報から、課金式装置の利用料金を減じた金額を送受信回路４７に出力し、スマートカードに記憶させる。
【００２７】
また、課金処理後、スピーカ３５に出力して所定時間スピーカから発音し、利用者に課金処理が終了したことを知らせる。
さらに、課金信号をマイクロスイッチ２４に出力し、課金式装置を利用可能状態にする。
【００２８】
しかし、課金回路４８は、課金式装置の利用回数を送受信回路４７に出力するものでもよい。
この場合、退場時にスマートカードを清算所において金額換算して清算する必要がある。
利用者への課金処理終了の通知は、上向き傾斜面４２に発光体を装着して発光させてもよい。
【００２９】
この構成により、硬貨投入口４３に投入された硬貨は、入口２９、硬貨通路２７及び硬貨口１１を通って硬貨選別部１５に達し、選別される。
正貨は、マイクロスイッチ２４に検知されて金庫に保留される。
スマートカードを用いる場合、スマートカードを上向き傾斜面４２に接近または接触させることにより、アンテナ３１とスマートカードが通信を行い、ゲーム料金をスマートカードに記憶されている金額情報から引き落とす。
【００３０】
既存の課金式装置の硬貨選別装置を改造する場合、ベースプレート１０及び選別プレート１６は従来のものを採用する。
通孔３７は、ドリルで開口する。
新たに、アンテナ装着体２６と前面カバー３８を製造し、ベースプレート１０に装着すればよく、改造が容易である。
また、既設装置の一部を使うので、安価に改造できる。
さらに、新たに製造する場合、ベースプレート１０と選別プレート１６は従来品を使用することができるので、安価に製造することができる。
【００３１】
次に、図５に示す第２実施例を説明する。
第１実施例と同一部には同一符号を付し、異なる部位を説明する。
縦長の平板状のベースプレート５０は、例えばステンレス製である。
ベースプレート５０の上部には、アンテナ装着体２６を埋め込んだ台形状のエントリ部５１が固定されている。
【００３２】
エントリ部５１は、その裏面のスクリュウをベースプレート５０を貫通させ、ベースプレート５０の裏面からナット（図示せず）により固定する。
ベースプレート５０は、第１実施例と同様に四角頭スクリュウによって課金式装置のフレームに固定する。
アンテナ装着体２６は、リード線５２により第１実施例と同様にマイクロスイッチ２４に接続してある。
【００３３】
エントリ５１の前面は、上向きに傾斜しており、その中央部に硬貨投入口４３が配置されている。
硬貨投入口４３に連なる硬貨通路は、第１実施例と同様に構成されている。
硬貨選別部１５は、例えば特開昭５３−７２６９５号に開示のものである。
このタイプの場合、エントリ部５１をアンテナ装着体２６内蔵のものに交換することにより、簡単にスマートカードを利用可能に変更できる。
【００３４】
【発明の効果】
本発明は、硬貨投入口の周りの上向き傾斜面の下位にスマートカードとの通信用アンテナを配置し、かつ、その上向き斜面にアンテナ標示をしたので、硬貨を投入する際に、上向き斜面のアンテナ標示を視認することでスマートカードが使用できることを認識できる。
また、スマートカードを使用する際、その標示の中央部に硬貨投入口を視認することで硬貨が使用できることを認識できる。
さらに、硬貨投入口とアンテナが上向き斜面の同一場所に配置されているので、小型化でき、硬貨の投入が容易であると共にスマートカードのアンテナへの近接が容易である利点を有する。
【００３５】
本発明によれば、硬貨選別装置の一部は従来の硬貨選別部を使用することができるので、スマートカード課金機能を備える硬貨選別装置を新たに製造するケースであっても安価に製造することができる。
さらに、従来の硬貨選別部を利用して安価にスマートカード課金機能を備える硬貨選別装置に改造することができる。
【００３６】
【図面の簡単な説明】
【図１】図１は、本発明の実施例のスマートカード課金機能を備える硬貨選別装置の斜視図である。
【図２】図２は、本発明の実施例のスマートカード課金機能を備える硬貨選別装置の分解斜視図である。
【図３】図３は、本発明の実施例のスマートカード機能を備える硬貨選別装置の硬貨通路の断面図である。
【図４】図４は、本発明の実施例のスマートカード機能を備える硬貨選別装置の制御ブロック図である。
【図５】図５は、本発明の第２実施例のスマートカード機能を備える硬貨選別装置の斜視図である。
【符号の説明】
１０、５０  ベースプレート
１２  返却口
１５  硬貨選別部
１６  プレート
２６  アンテナ装着体
２７  案内通路
２８  傾斜面
３１  アンテナ
３８  前面カバー
４２  上向き傾斜面
４３  硬貨投入口
４６  アンテナ標示
【図１】
2005025404.tif 000003
【図２】
2005025404.tif 000004
【図３】
2005025404.tif 000005
【図４】
2005025404.tif 000006
【図５】
2005025404.tif 000007